(57)【要約】【課題】復号再生が不可能な符号化データＣＤを、その後復号再生可能となった場合に備え、効率よく保管する。【解決手段】データ取得手段４１によって符号化データＣＤを取得した際に、それらをデータ分別手段４２によって復号可能分類ＥＦと復号不可分類ＤＦに分別して保存する。これによって復号が不可能な符号化データＣＤに対して再生手段４３が誤って復号処理することによる機器エラーの発生を防ぐことができる。さらに、アプリケーション追加手段４４による復号用のアプリケーションＡＭの追加状況によって復号が可能となった符号化データＣＤに対しては分類変更手段４２によって復号可能分類ＥＦに分類変更する。これにより、再度同じ符号化データＣＤを取得するムダを省くことができ、符号化データＣＤの管理効率が向上する。【選択図】図４
2010123206.tif 000002
【特許請求の範囲】
【請求項１】
所定の符号化方式で符号化された符号化データを復号用のアプリケーション（以下復号用アプリケーションと称する）を用いて復号して再生する再生装置であって、
前記符号化データを取得するデータ取得手段と、
前記データ取得手段で取得した前記符号化データに対し、既存の復号用アプリケーションでの復号の可否に基づいて復号可能分類と復号不可分類のいずれかに分別するデータ分別手段と、
適宜の符号化方式に対応する復号用アプリケーションを追加可能なアプリケーション追加手段と、
前記復号不可分類に分別された符号化データのうち、前記アプリケーション追加手段の追加状況によって復号可能となった符号化データを前記復号可能分類に変更する分類変更手段と、
復号可能分類に分別された符号化データを復号して再生する再生手段と、
を有することを特徴とする再生装置。
【請求項２】
請求項１に記載の再生装置において、
前記データ分別手段は、前記データ取得手段が符号化データを取得した際に分別を行うことを特徴とする再生装置。
【請求項３】
請求項１に記載の再生装置において、
前記データ取得手段は、取得した全ての符号化データを前記復号可能分類に分別し、
前記データ分別手段は、前記再生手段が復号して再生しようとする符号化データに対して分別を行うことを特徴とする再生装置。
【請求項４】
請求項１乃至３のいずれかに記載の再生装置において、
所定の種別体系で符号化データの識別情報を一覧表化したデータ一覧情報を作成する一覧作成手段を有し、
前記一覧作成手段は、前記復号可能分類に対応する復号可能データ一覧情報と、前記復号不可分類に対応する復号不可データ一覧情報とをそれぞれ作成することを特徴とする再生装置。
【請求項５】
請求項４記載の再生装置において、
前記一覧作成手段は、前記データ一覧情報中の各符号化データの識別情報にそれぞれ関連づけて当該符号化データを呼び出すための格納先情報を記憶させていることを特徴とする再生装置。
【請求項６】
請求項４又は５に記載の再生装置において、
前記一覧作成手段は、前記復号不可データ一覧情報の種別体系中に復号不可能な符号化方式別の種別を設けることを特徴とする再生装置。
【請求項７】
請求項６記載の再生装置において、
前記分類変更手段は、前記復号不可分類に分別された符号化データを前記復号可能分類に変更する際に、前記復号不可データ一覧情報中の当該符号化データの識別情報と、前記識別情報に関連する格納先情報と、当該符号化データが属する復号不可能な符号化方式別の種別とを削除するとともに、前記復号可能データ一覧情報中へ当該符号化データの識別情報と、これに関連する格納先情報とを同等の体系位置に記憶させることを特徴とする再生装置。
【請求項８】
請求項４乃至７のいずれかに記載の再生装置において、
前記アプリケーション追加手段は、所定の時間間隔で復号用アプリケーションについて追加の可否を確認することを特徴とする再生装置。
【請求項９】
請求項４乃至７のいずれかに記載の再生装置において、
前記アプリケーション追加手段は、前記再生手段が前記復号不可分類に分別された符号化データを復号して再生しようとする際に、当該符号化データの符号化方式に対応する復号用アプリケーションについて追加の可否を確認することを特徴とする再生装置。
【請求項１０】
請求項４乃至７のいずれかに記載の再生装置において、
前記アプリケーション追加手段は、前記一覧作成手段が前記復号不可データ一覧情報の種別体系中に復号不可能な新たな符号化方式別の種別を設ける必要があると判断した際に、当該符号化方式に対応する復号用アプリケーションについて追加の可否を確認することを特徴とする再生装置。
【発明の詳細な説明】
【技術分野】
【０００１】
本発明は、所定の符号化方式で符号化された符号化データを取得して復号再生する再生装置に関する。
【背景技術】
【０００２】
近年では、音楽や画像などのＡＶデータを容量圧縮する技術が数多く提案されており、それに伴って圧縮符号化方式もまた増加している。このようにして圧縮された符号化データは、それぞれ専用の復号方式によってのみ元のデータに復号することができない。したがって近年の音楽・画像用の再生装置は、多数の復号方式に対応する必要がある。
【０００３】
しかし、新しい符号化方式が実施されてそれによる符号化データが流通していながら、再生装置においてその専用の復号方式の対応が遅れる場合がある。このため、再生装置がネットワーク経由のダウンロードなどで多数の符号化データを入手して記憶した場合には、復号再生が可能なものと不可能なものとが混在する状態が生じてしまう。
【０００４】
従来の再生装置では、それら混在している記憶データのうちで自機の再生装置がその時点で復号再生が可能な符号化データだけをリスト化して提示し、復号再生が不可能な符号化データに対して誤って復号再生させる指示ができないようにする技術が存在している。
【特許文献１】特開２００１−３５９０５０号公報（段落番号００５１）
【発明の開示】
【発明が解決しようとする課題】
【０００５】
上述した従来の再生装置では、内部ソフトウェアのバージョンアップなどにより新しい復号方式に追加対応できるようになった場合でも、それまで復号再生が不可能とされてきた当該復号方式に対応する符号化データはそのままの扱いとなり、復号再生されることがなかった。
【０００６】
本発明が解決しようとする課題には、上記した問題が一例として挙げられる。
【課題を解決するための手段】
【０００７】
上記課題を解決するために、請求項１に記載の発明は、所定の符号化方式で符号化された符号化データを復号用のアプリケーション（以下復号用アプリケーションと称する）を用いて復号して再生する再生装置であって、前記符号化データを取得するデータ取得手段と、前記データ取得手段で取得した前記符号化データに対し、既存の復号用アプリケーションでの復号の可否に基づいて復号可能分類と復号不可分類のいずれかに分別するデータ分別手段と、適宜の符号化方式に対応する復号用アプリケーションを追加可能なアプリケーション追加手段と、前記復号不可分類に分別された符号化データのうち、前記アプリケーション追加手段の追加状況によって復号可能となった符号化データを前記復号可能分類に変更する分類変更手段と、復号可能分類に分別された符号化データを復号して再生する再生手段とを有する。
【発明を実施するための最良の形態】
【０００８】
以下、本発明の一実施の形態を図面を参照しつつ説明する。
図１は、本実施形態の再生装置としてのＡＶプレーヤ１００の電気的なハードウェア構成例を示すブロック図である。
このＡＶプレーヤ１００は、インターフェイス１、ＣＰＵ２、記憶装置１０、表示制御回路６及び発音制御回路８がバス１５に接続されている。このＡＶプレーヤ１００には、スピーカ９及びディスプレイ７が接続されている。このＡＶプレーヤ１００には、インターフェイス１を介して、ＬＡＮやインターネットなどの通信ネットワーク１１、ＤＶＤなどの光ディスク１２、フラッシュメモリなどを利用した可搬型記憶装置１３、及びタッチパネル１４が接続可能となっている。これらディスプレイ７、スピーカ９、光ディスク１２、及びタッチパネル１４は、ＡＶプレーヤ１００の一部として構成されていてもよい。
【０００９】
記憶装置１０は、ＲＯＭ３、ＲＡＭ４及び記録媒体５を有する。ＲＯＭ３は、後述する各種の処理プログラムやその他必要な情報が予め書き込まれた情報記憶媒体である。ＲＡＭ４は、上記各種のプログラムを実行する上で必要な情報の書き込み及び読み出しが行われる情報記憶媒体である。記録媒体５は、例えばフラッシュメモリ、ハードディスクなどの情報記憶媒体である。この記録媒体５は、符号化データ及び後述するプレイリストテーブルを不揮発的に記憶可能である。
【００１０】
ＣＰＵ２は、上記各種のプログラムの動作にしたがって記憶装置１０、インターフェイス１、表示制御回路６及び発音制御回路８との間でデータの交換を行い、各種の演算、制御を行う機能を有する。
【００１１】
スピーカ９は、ＣＰＵ２から音声データを受け取った発音制御回路８の制御によって音声を出力する機能を有する。
【００１２】
ディスプレイ７は、ＣＰＵ２から画像データを受け取った表示制御回路６の制御によって静止画像や動画画像を表示する機能を有する。
【００１３】
タッチパネル１４は、例えばディスプレイ７の表示領域の表面に沿って設けられた透明なスイッチである。このタッチパネル１４は、例えばディスプレイ７の表示領域の表示物に応じて運転者や同乗者などによる接触があった場合、その接触箇所のスイッチがオンされたことを認識することができる構成となっている。
【００１４】
図２は、図１に示すＡＶプレーヤ１００において動作するプレーヤプログラムのソフトウェア構成例を示すブロック図である。
プレーヤプログラムは、その機能としてデータ取得部４１、制御部４２、復号再生部４３及びアプリケーション追加部４４を有し、上述した各機能や後述する各機能をＡＶプレーヤ１００において発揮させる。
【００１５】
データ取得部４１はデータ取得手段に相当し、インターフェイス１を介して通信ネットワーク１１、光ディスク１２及び可搬型記憶装置１３からコンテンツ（音声又は画像のデータ）としての符号化データを取得し、記録媒体５の符号化データ記憶部ＦＤに保存する機能を有する。
【００１６】
制御部４２はデータ分別手段、分類変更手段及び一覧作成手段に相当し、上記データ取得部４１によって記録媒体５の符号化データ記憶部ＦＤに保存された各符号化データをその時点での復号の可否に基づき、再生可能な分類と再生不可能な分類とに分別し、必要に応じて分類の変更を行う機能を有する。本実施形態の例では、記録媒体５が階層ディレクトリ構造でファイル管理されているものとして、符号化データを取得した際にすぐに復号再生が可能なものを再生可能ファイルフォルダＥＦに格納させ、復号再生が不可能なものを再生不可ファイルフォルダＤＦに格納させる。また、制御部４２は符号化データ記憶部ＦＤに格納されている符号化データの名称を、上記の再生可能ファイルフォルダＥＦと再生不可ファイルフォルダＤＦの各フォルダ別にそれぞれ所定の種別体系で一覧表化したプレイリストテーブルＰＴを作成する機能を有する。なお、再生可能ファイルフォルダＥＦに対応するものとして再生可能リストＥＬが作成され、再生不可ファイルフォルダＤＦに対応するものとして再生不可リストＤＬが作成される。
【００１７】
復号再生部４３は、再生手段に相当し、制御部４２がプレイリストテーブルＰＴに基づいて指定したコンテンツに対応する符号化データを復号して再生し、発音制御回路８又は表示制御回路６を介してスピーカ９又はディスプレイ７に出力する機能を有する。この復号再生部４３は、適宜の符号化方式にそれぞれ対応する復号用のアプリケーションであるアプリケーションモジュールＡＭ（以下、復号用アプリケーションモジュールＡＭと称する）を記憶しており、復号再生する際には対象となる符号化データの符号化方式に対応した復号用アプリケーションモジュールＡＭを実行して復号再生を行う。なお、これら復号用アプリケーションモジュールＡＭは、図示する例では「ＣＯＤＥＣ−Ａ」などのように記載されている。
【００１８】
アプリケーション追加部４４は、アプリケーション追加手段に相当し、通信ネットワーク１１などを介して新たに取得した復号用アプリケーションモジュールＡＭを復号再生部４３に記憶させる機能を有する。
【００１９】
図３及び図４は、図２に示すプレイリストテーブルＰＴと再生可能ファイルフォルダＥＦ及び再生不可ファイルフォルダＤＦの構成例を示す図である。なお、本実施形態の例において扱う符号化データは全て音声コンテンツのものとする。
【００２０】
この図３及び図４に示すプレイリストテーブルＰＴにおいては、その内容として上述したように、その時点でＡＶプレーヤ１００の復号再生部４３が復号再生可能な符号化データＣＤに対応する再生可能リストＥＬと、その時点でＡＶプレーヤ１００の復号再生部４３が復号再生不可能な符号化データＣＤに対応する再生不可リストＤＬの２つに大別されている。この例ではさらに各プレイリストＥＬ，ＤＬで「曲名順全曲」、「アーティスト別」及び「ジャンル別」のカテゴリーで種別化されており、特に再生不可リストＤＬのみ符号化方式での種別を意味する「フォーマット別」のカテゴリーが用意されている。そして、各カテゴリーにおいては必要に応じてさらにサブカテゴリーの種別が設定されている。
【００２１】
このようにして、再生可能リストＥＬと再生不可リストＤＬにはそれぞれで種別体系が設定されており、各種別においてそれぞれ対応する符号化データＣＤの識別情報としての名称とその格納先情報であるリンク先パスが格納登録されることで全ての符号化データＣＤの一覧情報としてのプレイリストテーブルＰＴが作成されている。なおこの例においては、符号化データＣＤの名称はその音楽コンテンツの曲名そのままで記述されるものとなっている。
【００２２】
図３に示す例では、復号再生可能な符号化データＣＤである「明日に向かって」という名称のコンテンツファイルが、「ＯＫ」というフォルダ名の再生可能ファイルフォルダＥＦに格納保存されている。このコンテンツファイルの名称である「明日に向かって」と、階層ディレクトリ構造での格納先情報として表現されるリンク先パスである「Ｈ：￥Ｓｙｓｔｅｍ￥Ｆｉｌｅｓ￥ＯＫ」が、再生可能リストＥＬにおいて対応する種別にそれぞれ記録されている。この例では、「曲名順全曲」のカテゴリーの種別と、「アーティスト別」で「佐藤○○子」の種別と、「ジャンル別」で「ポップス」の種別にそれぞれ記録されている。以下においては、このように所定のコンテンツファイルに対し、プレイリストテーブルＰＴで対応する各種別に当該コンテンツファイルの名称とリンク先パスを記録することを「リンクを設定する」というものとする。
【００２３】
ユーザはこのプレイリストテーブルＰＴ中の各種別を参照することで容易に所望するコンテンツファイルの名称を特定して再生を指示することができ、復号再生部４３は指示されたコンテンツファイルに対応するリンク先パスに基づいて当該コンテンツファイルにアクセスすることができる。
【００２４】
一方、図３に示す例で、復号再生不可能な符号化データＣＤである「明日の先に」という名称のコンテンツファイルが、「ＮＧ」というフォルダ名の再生不可ファイルフォルダＤＦに格納保存されている。この例では、「フォーマット別」で「ＣＯＤＥＣ−Ｙ」の種別と、「曲名順全曲」のカテゴリーの種別と、「アーティスト別」で「田中△△夫」の種別と、「ジャンル別」で「ポップス」の種別にそれぞれリンクが設定されている。ここで、図示する「フォーマット別」カテゴリー中の「ＣＯＤＥＣ−Ｘ」、「ＣＯＤＥＣ−Ｙ」及び「ＣＯＤＥＣ−Ｚ」のサブカテゴリーはそれぞれその時点で復号再生部４３がまだ取得していない復号用アプリケーションモジュールＡＭに対応する名称である。
【００２５】
本実施形態では、通信ネットワーク１１などを介したダウンロードにより符号化データＣＤを取得した際にその符号化方式を判別し、その時点でそれに対応する復号用アプリケーションモジュールＡＭが復号再生部４３に記録されているか否か、つまりその時点で当該符号化データＣＤが復号再生可能か否かの判定に基づいて、図３に示すように当該符号化データＣＤを再生可能ファイルフォルダＥＦ又は再生不可ファイルフォルダＤＦのいずれかに分別して保存し、再生可能リストＥＬ又は再生不可リストＤＬのいずれか対応する方にリンクを設定する。
【００２６】
そしてシステムのバージョンアップ等によりアプリケーション追加部４４が新たに復号用アプリケーションモジュールＡＭを取得できた際には、対応する符号化方式の符号化データＣＤがそれ以降には復号再生が可能となるものとみなされて、図４に示すように該当する符号化データＣＤを再生不可ファイルフォルダＤＦから再生可能ファイルフォルダＥＦに移動され、それにともない再生不可リストＤＬとのリンクを解除するとともに再生可能リストＥＬへのリンクの設定を行う。
【００２７】
ＡＶプレーヤ１００は以上のような一構成例であり、次に図５を参照しつつ当該一構成例による符号化データの取得と管理と復号再生の方法の一例について説明する。この方法は、プレーヤプログラムがＣＰＵ２において実行させる各ステップによって構成されており、次のようなコンテンツ管理再生処理を含んでいる。
【００２８】
図５は、コンテンツ管理再生処理の手順例を示すフローチャートである。このコンテンツ管理再生処理は、上記プレーヤプログラムがＣＰＵ２の制御によって動作することにより実現される手順を含んでいる。なお、このコンテンツ管理再生処理が開始される前の状態では、既に上記図３に示したような種別体系のプレイリストテーブルＰＴが制御部４２によって作成されているものとする。
【００２９】
まず、例えばユーザがタッチパネル１４を介してＡＶプレーヤ１００に対し所定の操作を行う。この所定の操作は、例えば、音楽コンテンツに対して何らかの希望する処理を開始させるための操作である。この操作指令を受けると、ＣＰＵ２の制御によって制御部４２による処理が開始され、以下のように動作する。
【００３０】
まず、ステップＳ５では、ユーザからタッチパネル１４を介して新規にコンテンツを取得するよう指示する操作が行われたか否かを判定する。新規コンテンツを取得する指示操作が行われていない場合、そのままステップＳ５５へ移る。一方、新規コンテンツを取得する指示操作が行われている場合、次のステップＳ１０へ移る。
【００３１】
次のステップＳ１０では、さらにユーザから通信ネットワーク１１、光ディスク１２又は可搬型記憶装置１３などの取得先のメディアの選択操作などを経て、データ取得部４１が新たに音楽コンテンツファイルである符号化データＣＤを取得する。
【００３２】
次のステップＳ１５では、上記ステップＳ１０で取得した符号化データＣＤのフォーマット、すなわち符号化方式を判別し、次のステップＳ２０でＡＶプレーヤ１００がその符号化方式に対応した復号再生が可能であるか否か、すなわちこの時点で復号再生部４３が当該符号化方式に対応した復号用アプリケーションモジュールＡＭを記憶しているか否かを判定する。
【００３３】
ＡＶプレーヤ１００がその符号化方式に対応した復号再生が可能である場合、次のステップＳ２５で当該符号化データＣＤを再生可能ファイルフォルダＥＦに保存し、次のステップＳ３０で再生可能リストＥＬで該当する全ての種別にリンクを設定する。そして次のステップＳ５５へ移る。
【００３４】
一方、上記ステップＳ２０の判定において、その時点でＡＶプレーヤ１００がその符号化方式に対応した復号再生が不可能である場合、ステップＳ３５へ移り当該符号化データＣＤを再生不可ファイルフォルダＤＦに保存する。
【００３５】
そして次のステップＳ４０で、再生不可リストＤＬの「フォーマット別」のカテゴリーにおいて当該符号化方式に対応するサブカテゴリーの種別が既に作成されているか否かを判定し、まだ作成されていない場合には次のステップＳ４５で当該符号化方式に対応するサブカテゴリーの種別を新たに作成してからステップＳ５０へ移り、既に作成さている場合にはそのままステップＳ５０へ移る。そしてステップＳ５０では、再生不可リストＤＬにリンクを設定し、次のステップＳ５５へ移る。
【００３６】
ステップＳ５５では、ユーザからタッチパネル１４を介してコンテンツの再生、つまり符号化データＣＤの復号再生を行うよう指示する操作が行われたか否かを判定する。再生の指示操作が行われた場合、次のステップＳ６０へ移り、復号再生部４３が指定されたコンテンツ、つまり符号化データＣＤに対応する復号用アプリケーションモジュールＡＭを用いて復号再生し、次のステップＳ６５へ移る。ここで、再生の対象となるコンテンツは、ユーザが再生可能リストＥＬを参照するなどによりあらためて指定したものとなる。一方、上記ステップＳ５５の判定において、再生の指示操作が行われていなかった場合、そのままステップＳ６５へ移る。
【００３７】
ステップＳ６５では、ＡＶプレーヤ１００が通信ネットワーク１１などを介して所定のサーバやネットサービスにアクセスし、新規バージョンアップ情報を取得できたか否か、つまり具体的には、当該ＡＶプレーヤ１００のシステムソフトウェアを新しいバージョンにアップデートするファイルなどの配信開始情報を受け取ったか否かを判定する。新規バージョンアップ情報を取得していない場合、次のステップＳ７０へ移る。なお新規バージョンアップ情報を取得した場合でも、さらにそのバージョンアップの具体的な内容として新しい復号用アプリケーションモジュールＡＭの追加も含まれているか否かを考慮してステップＳ６５の判定を行うようにしてもよい。
【００３８】
ステップＳ７０では、新規の復号用アプリケーションモジュールＡＭが取得可能であるかチェックする周期期間が経過したか否かを判定する。この例においてＡＶプレーヤ１００は、通信ネットワーク１１を介して所定のアプリ取得用サーバやネットサービスにアクセスすることにより、復号再生部４３に記憶させる復号用アプリケーションモジュールＡＭを取得できるようになっている。そして所定のチェック周期期間で上記の取得用サーバ等に繰り返しアクセスし、新しい復号用アプリケーションモジュールＡＭを取得できるかチェックすることで自動的に復号再生できる符号化方式の種類を増加させるものである。このステップＳ７０の手順では、上記のアプリ取得用サーバ等に前回アクセスしてから上記所定のチェック周期期間が経過したか否かを判定する。チェック周期期間が経過していない場合、次のステップＳ７５へ移る。
【００３９】
ステップＳ７５では、ユーザからタッチパネル１４を介してこのコンテンツ管理再生処理を終了するよう指示する操作が行われたか否かを判定する。終了指示操作が行われた場合、このフローを終了する。一方、終了指示操作が行われなかった場合、ステップＳ５に戻り、同様の手順を繰り返す。
【００４０】
また一方、上記ステップＳ６５の判定において、新規バージョンアップ情報を取得していた場合、ステップＳ８０へ移り、アプリケーション追加部４４が通信ネットワーク１１などを介して所定のバージョンアップ用のサーバ等にアクセスしてアップデートファイルをダウンロードし、システムソフトウェアをバージョンアップする。なお、上記アップデートファイルの取得は、通信ネットワーク１１を介する方法に限られずに光ディスク１２や可搬型記憶装置１３を介して取得する方法で取得してもよい。また、バージョンアップの具体的な内容として新しい復号用アプリケーションモジュールＡＭの追加が含まれていない場合には、その時点で新しい復号用アプリケーションモジュールＡＭを要求するようにしてもよい。そして次のステップＳ９０へ移る。
【００４１】
また一方、上記ステップＳ７０の判定において、チェック周期期間が経過していた場合、ステップＳ８５へ移り、アプリケーション追加部４４が通信ネットワーク１１などを介して上記所定のアプリ取得用サーバ等にアクセスし、新しい復号用アプリケーションモジュールＡＭの取得が可能であるかチェックする。そして、この取得チェックにより新しい復号用アプリケーションモジュールＡＭの取得が可能であることが判明した場合には、すぐに取得して復号再生部４３に記憶させる。そして次のステップＳ９０へ移る。
【００４２】
以上のようにして、上記ステップＳ８０でのバージョンアップ後、又は上記ステップＳ８５での取得チェック後に移るステップＳ９０では、それぞれのステップＳ８０、ステップＳ８５の手順で実際に新たな復号用アプリケーションモジュールＡＭを取得できたか否かを判定する。ステップＳ８０でバージョンアップしたもののその内容に復号用アプリケーションモジュールＡＭの追加が含まれてなかった場合、又はステップＳ８５で取得チェックにより新しい復号用アプリケーションモジュールＡＭがまだ取得できないことが判明した場合、ステップＳ７５へ移り終了指示操作の有無を判定する。
【００４３】
一方、ステップＳ８０で行ったバージョンアップの内容に新たな復号用アプリケーションモジュールＡＭの追加が含まれていた場合、又はステップＳ８５で取得チェックにより新しい復号用アプリケーションモジュールＡＭを取得できることが判明して実際に取得していた場合、次のステップＳ９５へ移る。
【００４４】
ステップＳ９５では、上記ステップＳ９０の判定で取得が確認された復号用アプリケーションモジュールＡＭに対応する全ての符号化データＣＤ、つまり再生不可リストＤＬ上で該当するフォーマット種別にリンクが設定されている全てのコンテンツファイルがそれ以降に復号再生可能になるものとみなして、再生不可ファイルフォルダＤＦから再生可能ファイルフォルダＥＦへ移動させる。
【００４５】
そして次のステップＳ１００では、再生不可リストＤＬにおいて該当する全てのコンテンツの名称やリンク先パスを削除するとともに、さらに「フォーマット別」カテゴリー中において該当する復号用アプリケーションモジュールＡＭのサブカテゴリーを削除することによりリンクを解除する。
【００４６】
次のステップＳ１０５では、再生可能リストＥＬで該当する全ての種別にそれぞれ対応するコンテンツの名称やリンク先パスを記載することでリンクを設定する。そしてステップＳ５に戻り、同様の手順を繰り返す。
【００４７】
上記実施形態における再生装置１００（ＡＶプレーヤに相当）においては、所定の符号化方式で符号化された符号化データＣＤを復号用アプリケーションＡＭ（復号用アプリケーションモジュールに相当）を用いて復号して再生する再生装置１００であって、前記符号化データＣＤを取得するデータ取得手段４１（データ取得部に相当）と、前記データ取得手段４１で取得した前記符号化データＣＤに対し、既存の復号用アプリケーションＡＭでの復号の可否に基づいて復号可能分類ＥＦ（再生可能ファイルフォルダに相当）と復号不可分類ＤＦ（再生不可ファイルフォルダ）のいずれかに分別するデータ分別手段４２（制御部に相当）と、適宜の符号化方式に対応する復号用アプリケーションＡＭ（復号用アプリケーションモジュールに相当）を追加可能なアプリケーション追加手段４４（アプリケーション追加部に相当）と、前記復号不可分類ＤＦに分別された符号化データＣＤのうち、前記アプリケーション追加手段Ｓ８０，Ｓ８５の追加状況によって復号可能となった符号化データＣＤを前記復号可能分類ＥＦに変更する分類変更手段４２（制御部に相当）と、復号可能分類に分別された符号化データＣＤを復号して再生する再生手段４３（復号再生部に相当）と、を有する。
【００４８】
このようにすると、データ取得手段４１によって多様な符号化データＣＤを取得した場合でも、それらをデータ分別手段４２によって復号可能分類ＥＦと復号不可分類ＤＦに分別して保存することができるため、復号が不可能な符号化データＣＤに対して再生手段４３が誤って復号処理することによる機器エラーの発生を防ぐことができる。さらに、アプリケーション追加手段４４による復号用アプリケーションＡＭの追加状況によって復号が可能となった符号化データＣＤに対しては分類変更手段４２によって復号可能分類ＥＦに分類変更し、再生手段４３で復号再生を実行することができる。またこの結果、再度同じ符号化データＣＤを取得するムダを省くことができ、符号化データＣＤの管理効率が向上する。また、このように将来的に符号化データＣＤの分類を変更できることが想定されることから、データ取得手段４１で符号化データＣＤを取得する際においても、各符号化データＣＤの符号化方式を特に意識する必要のない自由度の高い取得が可能となる。
【００４９】
なお、上記実施形態では、記録媒体５を階層ディレクトリ構造でファイル管理するものとして、復号可能分類ＥＦと復号不可分類ＤＦのそれぞれに対応する再生可能ファイルフォルダＥＦと再生不可ファイルフォルダＤＦを作成し、符号化データＣＤをいずれかのファイルフォルダに分けて保存することで分類していたが、本発明はこれに限られず、例えば記録媒体５中のアドレスなどで指定される物理的な記憶領域を区分して記憶させることで分類してもよいし、又は各符号化データＣＤのコンテンツファイル名に特定の識別子を付加することで分類してもよい。
【００５０】
上記実施形態における再生装置１００においては、上述した構成に加えてさらに、前記データ分別手段４２は、前記データ取得手段４１が符号化データＣＤを取得した際に分別を行うことを特徴とする。
【００５１】
このようにすると、全ての符号化データＣＤが既に復号可能分類ＥＦと復号不可分類ＤＦとに分類された形で保存されるため、ユーザはその時点で復号可能分類ＥＦに保存されている復号再生可能な符号化データＣＤに対してのみ復号再生するよう指示することができ、またその時点で復号不可分類ＤＦに保存されている復号再生不可能な符号化データＣＤに対して削除などを検討することができる。
【００５２】
上記実施形態における再生装置１００においては、上述した構成に加えてさらに、所定の種別体系で符号化データＣＤの識別情報（符号化データＣＤの名称に相当）を一覧表化したデータ一覧情報ＰＴ（プレイリストテーブルに相当）を作成する一覧作成手段４２（制御部に相当）を有し、前記一覧作成手段４２は、前記復号可能分類ＥＦに対応する復号可能データ一覧情報ＥＬ（再生可能リストに相当）と、前記復号不可分類ＤＦに対応する復号不可データ一覧情報ＤＬ（再生不可リストに相当）とをそれぞれ作成する。
【００５３】
このようにすると、ユーザはデータ一覧情報ＰＴを参照して所望する種別の符号化データＣＤを容易に検索し特定することができ、さらにその検索・特定を復号可能分類ＥＦと復号不可分類ＤＦのそれぞれで区別して行うことができる。
【００５４】
なお、上記実施形態ではデータ一覧情報ＰＴをテーブル形式で構成したが、本発明はこれに限られず、階層ディレクトリ構造でファイルやフォルダを管理する形式で構成するようにしてもよい。
【００５５】
また、上記実施形態ではデータ一覧情報ＰＴに記載する符号化データＣＤの識別情報として当該符号化データＣＤの名称、つまりこの例では音楽コンテンツの曲名で記述されるコンテンツファイル名が記載されていたが、本発明はこれに限られず、例えば全ての符号化データＣＤにおいて一意に識別可能に付与された識別コードなどをそのままデータ一覧情報ＰＴに記載するようにしてもよい。この場合には、ディスプレイ７にデータ一覧情報ＰＴを表示する際に、各符号化データＣＤの識別コードを対応する曲名に変換してユーザが認識しやすいようにするとよい。
【００５６】
また、ユーザが復号用アプリケーションＡＭを要求する必要のないコンテンツや種別などを指定できるようにしてもよいし、コンテンツの削除をコンテンツ単位だけでなく種別単位で行えるようにしてもよい。
【００５７】
上記実施形態における再生装置１００においては、上述した構成に加えてさらに、前記一覧作成手段４２は、前記データ一覧情報ＰＴ中の各符号化データＣＤの識別情報にそれぞれ関連づけて当該符号化データＣＤを呼び出すための格納先情報（リンク先パスに相当）を記憶させている。
【００５８】
このようにすると、ユーザがデータ一覧情報ＰＴを参照して検索・特定した符号化データＣＤを記録媒体５中から容易かつ迅速に呼び出すことができる。なお、格納先情報としては、階層ディレクトリ構造に対応して記載した上記リンク先パス以外にも、例えば対応する符号化データＣＤを実際に記憶させている記録媒体５中の物理アドレスなどで記載するようにしてもよい。
【００５９】
上記実施形態における再生装置１００においては、上述した構成に加えてさらに、前記一覧作成手段４２は、前記復号不可データ一覧情報ＤＬの種別体系中に復号不可能な符号化方式別の種別を設ける。
【００６０】
このようにすると、復号不可分類ＤＦに分類されている複数の符号化データＣＤを符号化方式別で区別して一覧・確認したり、符号化方式別にまとめて取り扱うなどが可能となる。その結果、復号用アプリケーションＡＭの要求や不要コンテンツの削除などをその復号不可能な符号化方式別の種別単位で考慮することができる。
【００６１】
なお、復号再生が不可能な符号化方式に対応するサブカテゴリーの種別を新しく作成する場合、すなわち上記図５のフローにおけるステップＳ４０の判定を満たさない場合、その時点で当該符号化方式に対応する復号用アプリケーションＡＭの取得可否をチェックし、可能であれば取得するようにしてもよい。取得できた場合には、新たなサブカテゴリーの種別を作成することなく、取得した符号化データＣＤをそのまま復号可能分類ＥＦに保存して復号可能データ一覧情報ＥＬにリンクを設定すればよい。
【００６２】
また、復号不可データ一覧情報ＤＬ中の復号不可能な符号化方式別、つまりフォーマット別のサブカテゴリー種別で復号用アプリケーションＡＭを要求する場合には、リンクが設定されているコンテンツ数が多いサブカテゴリー種別の順で要求してもよいし、また一定数以上のリンクが設定されているサブカテゴリー種別のみ要求してもよい。
【００６３】
また、復号不可データ一覧情報ＤＬにリンクを設定したコンテンツやフォーマット別のサブカテゴリー種別は、所定の保存期間を過ぎても対応する復号用アプリケーションＡＭが追加取得できなかった場合に自動的に削除されるようにしてもよい。又は、記録媒体５中の空き記憶容量がなくなった場合や所定の占有率より少なくなった場合に、復号不可データ一覧情報ＤＬにリンクを設定したコンテンツを削除するようにしてもよい。
【００６４】
また、復号不可分類ＤＦ中の所定のコンテンツとそれに関連するリンクも全て削除したことにより、リンクを設定するコンテンツが一つもなくなったフォーマット別のサブカテゴリー種別が生じた場合、当該フォーマット別のサブカテゴリー種別自体も削除することで、復号用アプリケーションＡＭを取得する必要のあるサブカテゴリー種別を減じることができる。
【００６５】
上記実施形態における再生装置１００においては、上述した構成に加えてさらに、前記分類変更手段４２は、前記復号不可分類ＤＦに分別された符号化データＣＤを前記復号可能分類ＥＦに変更する際に、前記復号不可データ一覧情報ＤＬ中の当該符号化データＣＤの識別情報と、前記識別情報に関連する格納先情報と、当該符号化データＣＤが属する復号不可能な符号化方式別の種別とを削除するとともに、前記復号可能データ一覧情報ＥＬ中へ当該符号化データＣＤの識別情報と、これに関連する格納先情報とを同等の体系位置に記憶させる。
【００６６】
このようにすると、分類変更手段４２が復号不可分類ＤＦに分別された符号化データＣＤを復号可能分類ＥＦに変更した場合でも、当該符号化データＣＤとデータ一覧情報ＰＴとの対応関係として機能するリンクの設定が適切な状態に変更されるため、ユーザが復号可能データ一覧情報ＥＬを参照して当該符号化データＣＤを検索・特定することができ、記録媒体５中の符号化データＣＤ記憶部ＦＤから確実に呼び出すことができる。
【００６７】
上記実施形態における再生装置１００においては、上述した構成に加えてさらに、前記アプリケーション追加手段４４は、所定の時間間隔で復号用アプリケーションＡＭについて追加の可否を確認する。
【００６８】
このようにすると、アプリケーション追加手段が所定の時間間隔、つまり適宜のチェック周期期間で取得用サーバ等に繰り返しアクセスし、新しい復号用アプリケーションＡＭの追加取得の可否をチェックできるため、自動的に復号再生できる符号化方式の種類を増加させることができる。
【００６９】
なお、一定の時間間隔であるチェック周期期間でチェックする以外にも、例えば再生手段４３が復号不可分類ＤＦに分別された符号化データＣＤを復号して再生しようとする際に、当該符号化データＣＤの符号化方式に対応する復号用のアプリケーションＡＭについて追加の可否を確認するようにしてもよい。この場合には、ユーザが復号不可データ一覧情報ＥＬを参照して復号不可分類ＤＦ中に保存されている符号化データＣＤを指定できるようにする必要がある。
【００７０】
このようにすると、ユーザが任意のタイミングで任意に選択した復号再生不可能の符号化データＣＤに対して対応する復号用のアプリケーションＡＭの取得の可否をチェックすることができる。
【００７１】
また、アプリケーション追加手段４４は、前記一覧作成手段４２が前記復号不可データ一覧情報ＰＴの種別体系中に復号不可能な新たな符号化方式別の種別を設ける必要があると判断した際に、当該符号化方式に対応する復号用のアプリケーションＡＭについて追加の可否を確認するようにしてもよい。
【００７２】
このようにすると、新たな符号化方式の種別に対していち早く対応する復号用のアプリケーションＡＭの取得の可否をチェックすることができる。
【００７３】
なお、上述した復号用のアプリケーションＡＭの取得の可否チェック及び取得処理そのものを行った履歴を記録保持して管理するようにしてもよい。この場合、履歴にはチェック・取得したフォーマット名、つまり符号化方式や、チェック・取得した先のサーバやネットサービスの名称、チェック・取得した日時などを記録する。またさらに、各フォーマット別に設定しているリンク数の推移や、リンク設定日時、リンクしているコンテンツファイルの識別情報などを記録してもよい。
【００７４】
なお、本実施形態は、上記に限られず、種々の変形が可能である。以下、そのような変形例を順を追って説明する。
【００７５】
（１）符号化データＣＤの復号再生時に復号再生の可否による分別を行う場合
上記実施形態では、全ての符号化データＣＤを取得した際にすぐに復号再生の可否を判定して再生可能ファイルフォルダＥＦと再生不可ファイルフォルダＤＦの分別保存を行い対応するプレイリストＥＬ，ＤＬにリンクを設定していたが、本発明はこれに限られずに、符号化データＣＤを取得した際に一旦全て再生可能ファイルフォルダＥＦに保存してリンクを設定し、復号再生のために個別に符号化データＣＤを指定した際にあらためて復号再生の可否を判定して分別保存とリンクの設定をやりなおすようにしてもよい。
【００７６】
本変形例では、再生可能ファイルフォルダＥＦに復号再生が可能な符号化データＣＤと不可能な符号化データＣＤとが混在しており、復号再生のために再生可能ファイルフォルダＥＦから指定した符号化データＣＤがその時点で復号再生不可能であった場合、図６に示すように当該符号化データＣＤを再生可能ファイルフォルダＥＦから再生不可ファイルフォルダＤＦへ移動させて再生可能リストＥＬとのリンクの解除と、再生不可リストＤＬとのリンクの設定を行う。
【００７７】
図７は、本変形例のコンテンツ管理再生処理の手順例を示すフローチャートであり、上記図９に対応する図である。この図７のフローは概略的に上記図５のフローと同じであり、ステップＳ１５とステップＳ２０の手順がそのままステップＳ５５とステップＳ６０の間に移ってステップＳ５７とステップＳ５９の手順として実行される。またそれにともない、ステップＳ３５、ステップＳ４０、ステップＳ４５及びステップＳ５０の手順がそのままステップＳ５９の判定を満たさない場合、つまり復号再生に指定された符号化データＣＤが復号再生不可能であった場合に実行されるようになる。そしてステップＳ５０の手順を終えた後にステップＳ６５へ移ることになる。他の手順については上記図５のフローと同等であるため、説明を省略する。
【００７８】
なお、本変形例においても、前述と同様、復号再生が不可能な符号化方式に対応するサブカテゴリーの種別を新しく作成する場合、すなわち上記図７のフローにおけるステップＳ４０の判定を満たさない場合、その時点で当該符号化方式に対応する復号用アプリケーションＡＭの取得可否をチェックし、可能であれば取得するようにしてもよい。取得できた場合には、ステップＳ６０に移り、当該取得できた復号用アプリケーションＡＭを用いて、復号再生部４３が指定されたコンテンツを直ちに再生するようにしてもよい。
【００７９】
上記変形例における再生装置１００においては、上述した構成に加えてさらに、前記データ取得手段４１は、取得した全ての符号化データＣＤを前記復号可能分類ＥＦに分別し、前記データ分別手段４２は、前記再生手段４３が復号して再生しようとする符号化データＣＤに対して分別を行う。
【００８０】
このようにすると、例えば新規の符号化データＣＤを大量に取得した場合でも、迅速な保存とリンクの設定を行うことができるため、符号化データＣＤの管理効率が向上する。
【００８１】
（２）その他
上記実施形態及び変形例では、ＡＶプレーヤが通信ネットワーク１１に常時接続可能な環境を想定した据え置き型として構成されていたが、本発明はこれに限られず、例えば詳しい図示は省略するが、符号化データＣＤ及びプレイリストテーブルＰＴを記憶する記録媒体５を着脱可能な可搬型記憶装置で構成し、車載用のナビゲーション装置と共有接続できる構成としてもよい。この場合には、記録媒体５がナビゲーション装置に接続している間は通信ネットワーク１１を介した符号化データＣＤの取得や、バージョンアップも含めた復号用アプリケーションモジュールＡＭの追加取得を行うことができないが、ＡＶプレーヤに記録媒体５を接続した際に各種の取得処理やプレイリストテーブルＰＴの編集管理が行えることになる。
【００８２】
なお、上記実施形態及び各変形例においては、取り扱う符号化データＣＤが全て音楽コンテンツである場合を示したが、これに限られず動画コンテンツなども混在して取り扱うようにしてもよい。
【００８３】
また、以上既に述べた以外にも、上記実施形態や各変形例による手法を適宜組み合わせて利用しても良い。
【図面の簡単な説明】
【００８４】
【図１】ＡＶプレーヤの電気的なハードウェア構成例を示すブロック図である。
【図２】図１に示すＡＶプレーヤにおいて動作するプレーヤプログラムのソフトウェア構成例を示すブロック図である。
【図３】プレイリストテーブルと再生可能ファイルフォルダ及び再生不可ファイルフォルダの構成例を示す図である。
【図４】符号化データの分類を変更した際のプレイリストテーブルと再生可能ファイルフォルダ及び再生不可ファイルフォルダの構成の変化を示す図である。
【図５】コンテンツ管理再生処理の手順例を示すフローチャートである。
【図６】符号化データの分類を変更した際のプレイリストテーブルと再生可能ファイルフォルダ及び再生不可ファイルフォルダの構成の変化を示す図である。
【図７】コンテンツ管理再生処理の手順例を示すフローチャートである。
【符号の説明】
【００８５】
２                ＣＰＵ
５                記録媒体
７                ディスプレイ
９                スピーカ
１１              通信ネットワーク
１２              光ディスク
１３              可搬型記憶装置
１４              タッチパネル
４１              データ取得部（データ取得手段に相当）
４２              制御部（データ分別手段、分類変更手段、一覧作成手段に相当）
４３              復号再生部（再生手段に相当）
４４              アプリケーション追加部（アプリケーション追加手段に相当）
１００            ＡＶプレーヤ（再生装置に相当）
ＣＤ              符号化データ
ＤＦ              再生不可ファイルフォルダ（復号不可分類に相当）
ＤＬ              再生不可リスト（復号不可データ一覧情報に相当）
ＥＦ              再生可能ファイルフォルダ（復号可能分類に相当）
ＥＬ              再生可能リスト（復号可能データ一覧情報に相当）
ＦＤ              符号化データ記憶部
ＰＴ              プレイリストテーブル（データ一覧情報に相当）
【図１】
2010123206.tif 000003
【図２】
2010123206.tif 000004
【図３】
2010123206.tif 000005
【図４】
2010123206.tif 000006
【図５】
2010123206.tif 000007
【図６】
2010123206.tif 000008
【図７】
2010123206.tif 000009